【手続補正書】
【提出日】平成20年4月15日(2008.4.15)
【手続補正１】
【補正対象書類名】明細書
【補正対象項目名】特許請求の範囲
【補正方法】変更
【補正の内容】
【特許請求の範囲】
【請求項１】コンテンツのムーブを管理するためのコンテンツ管理方法であって、
ムーブ元に保持されていてコンテンツのムーブ可能回数を表すムーブ可能回数制御情報を参照して、コンテンツをムーブ元からムーブ先へムーブし、
ある記録媒体から別の記録媒体へ、コンテンツ管理装置を経由してコンテンツをムーブする場合に、ムーブ元の記録媒体から前記コンテンツ管理装置へ前記コンテンツをムーブする時、又は、前記コンテンツ管理装置からムーブ先の記録媒体へ前記コンテンツをムーブする時のいずれか一方のみで、前記ムーブ可能回数が減少するように、前記ムーブ可能回数制御情報を更新し、
前記更新されたムーブ可能回数制御情報が、前記ムーブされたコンテンツに対応づけて設定されることを特徴とするコンテンツ管理方法。
【請求項２】前記ムーブ可能回数制御情報の更新において、
前記ムーブ元の記録媒体から前記コンテンツ管理装置へ前記コンテンツをムーブする時には、前記コンテンツ管理装置でのムーブ可能回数が、ムーブ元の記録媒体でのムーブ可能回数より減少するように、前記ムーブ可能回数制御情報を更新し、
前記コンテンツ管理装置からムーブ先の記録媒体へ前記コンテンツをムーブする時には、ムーブ先の記録媒体でのムーブ可能回数は、前記コンテンツ管理装置でのムーブ可能回数と同じ値とする
ことを特徴とする請求項１に記載のコンテンツ管理方法。
【請求項３】前記ムーブ可能回数制御情報の更新において、
前記ムーブ元の記録媒体から前記コンテンツ管理装置へ前記コンテンツをムーブする時には、前記コンテンツ管理装置でのムーブ可能回数は、ムーブ元の記録媒体でのムーブ可能回数と同じ値とし、
前記コンテンツ管理装置からムーブ先の記録媒体へ前記コンテンツをムーブする時には、ムーブ先の記録媒体でのムーブ可能回数が、前記コンテンツ管理装置でのムーブ可能回数より減少するように、前記ムーブ可能回数制御情報を更新する
ことを特徴とする請求項１に記載のコンテンツ管理方法。
【請求項４】コンテンツのコピーとムーブを管理するためのコンテンツ管理方法であって、
コピー元に保持されているコンテンツの付加情報であって、コピー可能回数制御情報と、現行ムーブ可能回数制御情報と、初期ムーブ可能制御情報とを含む付加情報を参照して、コピー元からコピー先へコンテンツをコピーし、
コピー先での現行ムーブ可能回数が、コピー元での初期ムーブ可能回数と同じになるように、コピー先でのコンテンツの付加情報を設定する
ことを特徴とするコンテンツ管理方法。
【請求項５】コンテンツのコピーとムーブを管理するためのコンテンツ管理方法であって、
コピー元に保持されているコンテンツの付加情報であって、コピー可能回数制御情報と現行ムーブ可能回数制御情報と初期ムーブ可能制御情報とを含む付加情報を参照して、コピー元からコピー先へコンテンツをコピーし、
コピー先でのコピー可能回数制御情報を、コピー元でのコピー可能回数制御情報に基づいて生成し、コピー元及びコピー先での以後のコンテンツのコピーは、それぞれのコピー可能回数制御情報に基づいて実行されるものであり、
コピー先での現行ムーブ可能回数が、コピー元での初期ムーブ可能回数と同じになるように、コピー先での現行ムーブ可能回数制御情報を生成する
ことを特徴とするコンテンツ管理方法。
【請求項６】コンテンツのコピーとムーブを管理するためのコンテンツ管理方法であって、
コピー元に保持されているコンテンツの付加情報であって、コピー可能回数制御情報と現行ムーブ可能回数制御情報と初期ムーブ可能制御情報とを含む付加情報を参照してコピー元からコピー先へコンテンツをコピーし、
コピー先で保持されるコピー可能回数制御情報を、コピーされたコンテンツの再コピーが不可能であるように設定し、
コピー先での現行ムーブ可能回数を、コピー元での初期ムーブ可能回数と同じになるように、コピー先での現行ムーブ可能回数制御情報を作成する
ことを特徴とするコンテンツ管理方法。
【請求項７】コピー先での初期ムーブ可能回数が、コピー元での初期ムーブ可能回数と同じになり、コピー先での現行ムーブ可能回数も、コピー元での初期ムーブ可能回数と同じになるように、コピー先でのコンテンツの付加情報を設定する
ことを特徴とする請求項４、５、６のいずれかに記載のコンテンツ管理方法。
【請求項８】コンテンツのコピーとムーブを管理するためのコンテンツ管理方法であって、
コピー元に保持されているコンテンツのコピー可能回数制御情報を参照して、コピー元の記録媒体からコピー先のコンテンツ管理装置にコンテンツをコピーし、
前記コピーされたコンテンツを、前記コンテンツ管理装置から、前記コピー元の記録媒体とは異なる、ムーブ先の記録媒体にムーブし、
ムーブ先でのムーブ可能回数が、ムーブ元でのムーブ可能回数と同じ値になるように、前記ムーブされたコンテンツのムーブ可能回数制御情報を設定する
ことを特徴とするコンテンツ管理方法。
【請求項９】前記コンテンツを前記コピー元の記録媒体から前記コンテンツ管理装置にコピーする時、
前記コンテンツ管理装置に保持されるコピー可能回数制御情報が、前記コピーされたコンテンツの再コピーが不可能であることを示すように設定する
ことを特徴とする請求項８に記載のコンテンツ管理方法。
【請求項１０】コンテンツのコピーとムーブを管理するためのコンテンツ管理方法であって、
コピー元に保持されているコンテンツのコピー可能回数制御情報を参照して、コピー元のコンテンツ管理装置からコピー先の記録媒体にコンテンツをコピーし、
前記コピーされたコンテンツを、前記記録媒体から、前記コピー元のコンテンツ管理装置とは異なる、ムーブ先のコンテンツ管理装置にムーブし、
ムーブ先でのムーブ可能回数が、ムーブ元でのムーブ可能回数と同じ値になるように、前記ムーブされたコンテンツのムーブ可能回数制御情報を設定する
ことを特徴とするコンテンツ管理方法。
【請求項１１】前記コンテンツを前記コピー元のコンテンツ管理装置から前記記録媒体にコピーする時、
前記記録媒体に保持されるコピー可能回数制御情報が、前記コピーされたコンテンツの再コピーが不可能であることを示すように設定する
ことを特徴とする請求項１０に記載のコンテンツ管理方法。
【請求項１２】コンテンツのコピーを管理するためのコンテンツ管理方法であって、
コピー元に保持されていてコンテンツのコピー可能回数を表すコピー可能回数制御情報を含む利用制限情報を参照して、コピー元からコピー先にコンテンツをコピーし、
前記コピーされたコンテンツの利用制限情報が、コピー元での初期の利用制限情報と同じ値になるように、コピー先での利用制限情報を生成する
ことを特徴とするコンテンツ管理方法。
【請求項１３】コンテンツのコピーを管理するためのコンテンツ管理方法であって、
コピー元に保持されていてコンテンツのコピー可能回数を表すコピー可能回数制御情報を参照して、コピー元からコピー先へコンテンツをコピーし、
コピー先でのコピー可能回数制御情報を、コピー元でのコピー可能回数制御情報に基づいて生成し、コピー元及びコピー先での以後のコンテンツのコピーは、それぞれのコピー可能回数制御情報に基づいて実行されるものであり、
コピー先での利用制限情報が、コピー元での初期利用制限情報と同じ値になるように、コピー先での利用制限情報を生成する
ことを特徴とするコンテンツ管理方法。
【請求項１４】コンテンツのコピーを管理するためのコンテンツ管理方法であって、
コピー元に保持されていてコンテンツのコピー可能回数を表すコピー可能回数制御情報を参照して、コピー元からコピー先へコンテンツをコピーし、
コピー先で保持されるコピー可能回数制御情報を、コピーされたコンテンツの再コピーが不可能であるように設定し、
コピー先での利用制限情報を、コピー元での初期利用制限情報と同じ値になるように、コピー先での利用制限情報を作成する
ことを特徴とするコンテンツ管理方法。
【請求項１５】前記利用制限情報は、現行利用制限情報と初期利用制限情報と固定利用制限情報とを含み、
コピー先での初期利用制限情報と固定利用制限情報の各々はコピー元での各々の値と同じ値とし、
コピー先での現行利用制限情報は、コピー元での初期利用制限情報と同じ値になるように、
前記コピーされたコンテンツの利用制限情報を生成する
ことを特徴とする請求項１２、１３、１４のいずれかに記載のコンテンツ管理方法。
【請求項１６】前記コピー可能回数制御情報は、耐タンパ化された安全な状態で、前記記録媒体に保持されることを特徴とする請求項６に記載のコンテンツ管理方法。
【請求項１７】前記コピー可能回数制御情報は、前記記録媒体の保護領域に記憶されることを特徴とする請求項６に記載のコンテンツ管理方法。
【請求項１８】前記コピー可能回数制御情報は、暗号化されて前記記録媒体に記憶されることを特徴とする請求項６に記載のコンテンツ管理方法。
【請求項１９】前記コピー可能回数制御情報は、情報の改竄を検知するための値を含む状態で、前記記録媒体に記憶されることを特徴とする請求項６に記載のコンテンツ管理方法。